(57)【要約】  【課題】  本発明の目的は、軽量で工事がやり易い、という樹脂製天板の特徴を活かしながら、しかも機械的強度が大きく、長期間使用しても変形し難い樹脂製の天板を提供し、もって長期に亘って安全に使用し続けることのできる雨水等の貯水施設を提供することにある。  【解決手段】  地面を掘り下げて設けられ上部が開口している貯水部と、該貯水部内に配設され複数の樹脂製骨格ブロックを組み立てて構成されている空間保持骨格と、前記貯水部の上部の開口を覆う被覆層とを有する雨水等の貯水施設において、前記被覆層は石炭灰入り天板を有していることを特徴とするものである。  【選択図】  図１
2005120659.tif 000002
【特許請求の範囲】
【請求項１】
地面を掘り下げて設けられ上部が開口している貯水部と、該貯水部内に配設され複数の樹脂製骨格ブロックを組み立てて構成されている空間保持骨格と、前記貯水部の上部の開口を覆う被覆層とを有する雨水等の貯水施設において、前記被覆層は石炭灰入り天板を有していることを特徴とする雨水等の貯水施設。
【発明の詳細な説明】
【技術分野】
【０００１】
本発明は、ビルあるいは集合住宅、特に団地等において、雨水等を防火用や散水用等の用途に使用すべく貯水するための雨水等の貯水施設の改良に関するものである。
【背景技術】
【０００２】
従来から、例えば、大きなビルや団地等において、降った雨を貯水槽に貯水しておいて、少しずつ下水に流したり、周囲に浸透させて都市型の洪水を防ぐ目的（一時貯留型あるいは浸透型）で、あるいは貯水槽に貯めた雨水を防火水として、あるいは花壇や菜園等の散水用として利用する目的（常時貯留型）のために、ビルや団地周辺の空き地、あるいは自転車置き場等の地下に貯水施設を設け、これに雨水を貯水する試みが種々行われてきていた。
特に昨今では、夏季の水不足等に備えて、新しく団地を建設するような場合には、しばしばこの種の雨水等の貯水施設が設けられるようになってきている。
【０００３】
この種の典型的な例として特許文献１に記載の貯水施設がある。
これは図３に示すように、予め地面１を掘り下げて、例えば平面形状が長方形の貯水部２を形成し、しかる後この貯水部２の内表面（側面及び底面を含む）を遮水性シート等で覆って内張層３を形成する。このようにして貯水部２の内部を遮水性シートで覆う理由は、外部から貯水部２の内部に土砂が侵入するのを防止するためである。
【０００４】
さて内張層３を形成したら貯水部２内に箱型の樹脂製骨格ブロック４を上下縦横に組み上げて、その内部に貯水空間を有する空間保持骨格を形成する。空間保持骨格ができ上がったら、最後に空間保持骨格上に、天板を敷き詰めたり、この天板上にさらに遮水性シートを被せたり、この遮水性シート上に土を埋め戻したりして被覆層９を形成してある。
尚、図３において符号１０は貯水部２への雨水等の流入口を、符号１１は流出口を示している。
【０００５】
【特許文献１】特公平４−２６６４８号公報（特開昭６３−２６８８２３号）
【発明の開示】
【発明が解決しようとする課題】
【０００６】
特許文献１に記載されている雨水等の貯水施設において、被覆層９は天板や遮水性シート、そしてこの上に掘り出した土を埋め戻して形成しているが、この天板として鉄板、コンクリート板あるいは樹脂製の板が使用されていた。
ところが鉄板の場合は重く、そのため工事がやり難い。加えて錆び易い、という欠点もある。またコンクリート板は製造に手間が掛かる上に、重くて工事が大変である。さらには割れ易い、という大きな欠点もある。
【０００７】
一方、樹脂製の天板の場合には軽くて工事が容易である、との利点はあるものの、長期間使用していると、埋め戻した土の重さにより変形が生じ易い、という問題があった。
【０００８】
前記問題に鑑み本願発明の目的は、軽量で工事がやり易い、という樹脂製天板の特徴を活かしながら、しかも機械的強度が大きく、長期間使用しても変形し難い樹脂製の天板を提供し、もって長期間に亘って安全に使用し続けることのできる雨水等の貯水施設を提供することにある。
【課題を解決するための手段】
【０００９】
前記目的を達成すべく本願発明の雨水等の貯水施設は、地面を掘り下げて設けられ上部が開口している貯水部と、該貯水部内に配設され複数の樹脂製骨格ブロックを組み立てて構成されている空間保持骨格と、前記貯水部の上部の開口を覆う被覆層とを有する雨水等の貯水施設において、前記被覆層は石炭灰入り天板を有していることを特徴とするものである。
【００１０】
このようにしてなる本願発明の雨水等の貯水施設によれば、天板として石炭灰入り天板を使用しているため、その機械的強度は従来の樹脂製の天板に比して飛躍的に大きくなっており、上部に埋め戻した土による応力を長期間受け続けても変形が起こり難い。それ故、この雨水等の貯水施設を安全に、かつ長期間使用し続けることができる。
【発明の効果】
【００１１】
以上のように本願発明の雨水等の貯水施設によれば、天板として、石炭灰入り樹脂製天板を使用したことにより、樹脂製天板の機械的強度を飛躍的に向上せしめることができ、その結果、この天板を長期間使用しても変形し難いため、長期に亘ってこの雨水等の貯水施設を安全に使用し続けることができる。
【発明を実施するための最良の形態】
【００１２】
以下に本願発明の雨水等の貯水施設の一実施例を図１及び図２を用いて詳細に説明する。尚、図１において前記図３と同じ部分には同じ番号を付し、その説明は簡単にし、本願発明の特徴を示す点についてのみ詳細に説明することにする。
【実施例１】
【００１３】
図１は本願発明の雨水等の貯水施設の一実施例を示すもので、施設を側面からみた模式図である。また図２は貯水部内に構成されている空間保持骨格を形成するために使用している樹脂製骨格ブロックの一例を示す斜視図である。
【００１４】
図１に示すように、地面１の地下を掘り下げて、例えば長方形あるいは正方形の貯水部２を形成し、しかる後貯水部２内に周辺の土砂が流れ込まないように、貯水部２の内表面（側面及び底面を含む）を遮水性シート等で、必要なら複数枚重ねて覆い、内張層３を形成する。
【００１５】
さて内張層３を形成したら、貯水部２内に図２に示すような樹脂製骨格ブロック４を上下縦横に組み上げて、その内部に図１に示すように貯水空間を有する空間保持骨格を形成する。図２に示す樹脂製骨格ブロック４を積み上げる場合、図１に示すように一段毎に樹脂製骨格ブロック４の上下を逆さまにして組み上げていく。
【００１６】
例えば図２に示すように、樹脂製骨格ブロック４の円筒部分の先端には突起１４と嵌合穴２４とが設けられており、この樹脂製骨格ブロック４上に別の樹脂製骨格ブロック４を積み上げる場合には、逆さにした別の樹脂製骨格ブロック４の円筒部分に設けられた突起１４と嵌合穴２４とを、一方の樹脂製骨格ブロック４の突起１４を他方の樹脂製骨格ブロック４の嵌合穴２４に嵌め、一方の樹脂製骨格ブロック４の嵌合穴２４に他方に樹脂製骨格ブロック４の突起１４を嵌めればよい。
【００１７】
一方、樹脂製骨格ブロック４の平板部分には透過孔が多数設けられているので、この平板部分同士で２つの樹脂製骨格ブロック４同士を接続する場合には、前記透過孔に適切な把持具を用いる等して接続すればよい。
尚、樹脂製骨格ブロック４の形状は前述した図３に示すものも含め、これ以外にも種々提案されており、本願発明においても、図２に示す樹脂製骨格ブロック４に限らず種々の樹脂製骨格ブロック４を利用できることはいうまでもない。
【００１８】
ところで順次樹脂製骨格ブロック４を組み付けて貯水部２内に空間保持骨格を完成させたら、図１に示すようにこの空間保持骨格上に、石炭灰（フライアッシュともいう）入り天板６を隈なく敷き詰める。因みにこの天板はポリプロピレン樹脂に石炭灰を混入せしめて作ったものである。もちろん樹脂はこれに限定されるものではない。
【００１９】
天板６を敷き詰めたら、次に遮水性シート７でこの天板６を覆い、上方から天板６の隙間を介して土砂が貯水部２内に侵入しないようにする。因みにここで使用する遮水性シート７は、前記内張層３を形成したものと同じものであってもよい。
このように天板６を遮水性シート７で覆ったら、この遮水性シート７上に土を埋め戻して天板６、遮水性シート７を含む被覆層９を形成した。
【００２０】
以上のようにしてなる本願発明の雨水等の貯水施設によれば、被覆層９を構成する天板６として、例えばポリプロピレン樹脂に石炭灰を混入した、すなわち練り込んだ樹脂製の天板６を用いているので、その機械的強度は極めて大きくなっている。
その結果、この天板６は樹脂製であって軽量である、という利点を活かしつつ、すなわち施工がやり易い、という利点を活かしつつ、しかも耐圧強度が大きく、長期に亘って変形し難いので、長期間安全に使用できる雨水等の貯水施設を提供することができる。
【００２１】
ところで図１に示す実施例では、内張層３を遮水性シートで形成する一時貯水型の貯水施設に本願発明の天板を利用した例を示したが、本願発明の天板はこれ以外の貯水施設、例えば浸透型や常時貯水型の貯水施設にも適用できることはいうまでもない。
【図面の簡単な説明】
【００２２】
【図１】本願発明の雨水等の貯水施設の一実施例を側面からみた模式図である。
【図２】本願発明の雨水等の貯水施設に使用する樹脂製骨格ブロックの一例を示す斜視図である。
【図３】従来の雨水等の貯水施設を側面からみた模式図である。
【符号の説明】
【００２３】
１  地面
２  貯水部
３  内張層
４  樹脂製骨格ブロック
６  天板
７  遮水性シート
９  被覆層
１０  流入口
１１  流出口
【図１】
2005120659.tif 000003
【図２】
2005120659.tif 000004
【図３】
2005120659.tif 000005